【手続補正書】
【提出日】平成20年3月25日(2008.3.25)
【手続補正１】
【補正対象書類名】特許請求の範囲
【補正対象項目名】全文
【補正方法】変更
【補正の内容】
【特許請求の範囲】
【請求項１】
駆動力を伝達するための駆動力伝達部材を有する電子写真画像形成装置本体に取り外し可能に装着されるプロセスカートリッジにおいて、
電子写真感光体を有し、前記プロセスカートリッジが前記装置本体に装着された状態で前記装置本体に位置決めされる感光体ユニットと、
前記電子写真感光体に形成された静電潜像を現像する現像ローラを有し、前記プロセスカートリッジが前記装置本体に装着された状態で前記現像ローラの長手方向の一端側で前記感光体ユニットに回動可能に支持される一端被支持部と、前記プロセスカートリッジが前記装置本体に装着された状態で前記現像ローラの長手方向の他端側で前記装置本体に回動可能に支持される他端被支持部と、前記他端被支持部に回転可能に支持され、前記現像ローラを回転させるために前記駆動力伝達部材と係合して前記駆動力伝達部材から前記駆動力を受ける駆動力受け部材と、を有する現像ユニットと、
を有することを特徴とするプロセスカートリッジ。
【請求項２】
前記現像ユニットは、前記現像ローラと前記電子写真感光体とを接触させる接触位置と、前記現像ローラと前記電子写真感光体とを離隔させる離隔位置と、を取り得て、前記接触位置と前記離隔位置との間を移動するために、前記一端被支持部及び前記他端被支持部が回動可能に支持されていることを特徴とする請求項１に記載のプロセスカートリッジ。
【請求項３】
前記プロセスカートリッジの前記装置本体への装着方向は、前記一端側から前記他端側へ向かう方向と同一であり、
前記他端被支持部は、前記装着方向へ向かって開口していることを特徴とする請求項１又は２に記載のプロセスカートリッジ。
【請求項４】
前記現像ユニットは，前記他端側に設けられ、前記プロセスカートリッジが前記装置本体から取り外された状態で前記感光体ユニットに支持される第二他端被支持部を有していることを特徴とする請求項１乃至３のいずれか１項に記載のプロセスカートリッジ。
【請求項５】
前記長手方向において、前記他端被支持部は前記第二他端被支持部よりも内側に設けられていることを特徴とする請求項４に記載のプロセスカートリッジ。
【請求項６】
前記駆動力受け部材は、前記駆動力伝達部材から前記駆動力を受けるカップリング部と、前記駆動力を前記現像ローラへ伝達するためのギア部と、を一体に有することを特徴とする請求項１乃至５のいずれかに記載のプロセスカートリッジ。
【請求項７】
前記ギア部が前記他端被支持部に回転可能に支持されていることを特徴とする請求項６に記載のプロセスカートリッジ。
【請求項８】
前記現像ユニットは，前記他端側に設けられた第二他端被支持部を有しており、
前記感光体ユニットは、前記他端側に設けられ、前記プロセスカートリッジが前記装置本体から取り外された状態で前記第二他端被支持部を支持する第二他端支持部を有しており、
前記装置本体は、前記他端側に設けられ、前記プロセスカートリッジが前記装置本体に装着された状態で前記他端被支持部を支持する他端支持部を有しており、
前記他端被支持部及び前記他端支持部の軸線を揃えた状態における前記他端被支持部と前記他端支持部との隙間は、前記第二他端被支持部及び前記第二他端支持部の軸線を揃えた状態における前記第二他端被支持部と前記第二他端支持部との隙間よりも小さいことを特徴とする請求項１に記載のプロセスカートリッジ。
【請求項９】
記録媒体に画像を形成する電子写真画像形成装置において、
ｉ）位置決めするための位置決め部と、
ｉｉ）支持するための他端支持部と、
ｉｉｉ）駆動力を伝達するための駆動力伝達部材と、
ｉｖ）前記電子写真画像形成装置の装置本体に取り外し可能に装着されるプロセスカートリッジであって、
電子写真感光体を有し、前記プロセスカートリッジが前記装置本体に装着された状態で前記位置決め部に位置決めされる感光体ユニットと、
前記電子写真感光体に形成された静電潜像を現像する現像ローラを有し、前記プロセスカートリッジが前記装置本体に装着された状態で前記現像ローラの長手方向の一端側で前記感光体ユニットに回動可能に支持される一端被支持部と、前記プロセスカートリッジが前記装置本体に装着された状態で前記現像ローラの長手方向の他端側で前記他端支持部に回動可能に支持される他端被支持部と、前記他端被支持部に回転可能に支持され、前記現像ローラを回転させるために前記駆動力伝達部材と係合して前記駆動力伝達部材から前記駆動力を受ける駆動力受け部材と、を有する現像ユニットと、
を有するプロセスカートリッジと、
を有することを特徴とする電子写真画像形成装置。
【請求項１０】
前記駆動力伝達部材は、前記他端支持部に回転可能に支持されていることを特徴とする請求項９に記載の電子写真画像形成装置。
【手続補正２】
【補正対象書類名】明細書
【補正対象項目名】００１１
【補正方法】変更
【補正の内容】
【００１１】
前記目的を達成するために、本発明の代表的な構成は、
駆動力を伝達するための駆動力伝達部材を有する電子写真画像形成装置本体に取り外し可能に装着されるプロセスカートリッジにおいて、
電子写真感光体を有し、前記プロセスカートリッジが前記装置本体に装着された状態で前記装置本体に位置決めされる感光体ユニットと、
前記電子写真感光体に形成された静電潜像を現像する現像ローラを有し、前記プロセスカートリッジが前記装置本体に装着された状態で前記現像ローラの長手方向の一端側で前記感光体ユニットに回動可能に支持される一端被支持部と、前記プロセスカートリッジが前記装置本体に装着された状態で前記現像ローラの長手方向の他端側で前記装置本体に回動可能に支持される他端被支持部と、前記他端被支持部に回転可能に支持され、前記現像ローラを回転させるために前記駆動力伝達部材と係合して前記駆動力伝達部材から前記駆動力を受ける駆動力受け部材と、を有する現像ユニットと、
を有することを特徴とする。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
また、本出願に係る発明の他の代表的な構成は、
記録媒体に画像を形成する電子写真画像形成装置において、
ｉ）位置決めするための位置決め部と、
ｉｉ）支持するための他端支持部と、
ｉｉｉ）駆動力を伝達するための駆動力伝達部材と、
ｉｖ）前記電子写真画像形成装置の装置本体に取り外し可能に装着されるプロセスカートリッジであって、
電子写真感光体を有し、前記プロセスカートリッジが前記装置本体に装着された状態で前記位置決め部に位置決めされる感光体ユニットと、
前記電子写真感光体に形成された静電潜像を現像する現像ローラを有し、前記プロセスカートリッジが前記装置本体に装着された状態で前記現像ローラの長手方向の一端側で前記感光体ユニットに回動可能に支持される一端被支持部と、前記プロセスカートリッジが前記装置本体に装着された状態で前記現像ローラの長手方向の他端側で前記他端支持部に回動可能に支持される他端被支持部と、前記他端被支持部に回転可能に支持され、前記現像ローラを回転させるために前記駆動力伝達部材と係合して前記駆動力伝達部材から前記駆動力を受ける駆動力受け部材と、を有する現像ユニットと、
を有するプロセスカートリッジと、
を有することを特徴とする。
【手続補正５】
【補正対象書類名】明細書
【補正対象項目名】００２２
【補正方法】変更
【補正の内容】
【００２２】
（プロセスカートリッジ）
図２に本実施例にかかるプロセスカートリッジ７の断面図、図３に現像ユニット４の横方向（図２の右方向）から見た断面図を示す。図２に示すように、前記カートリッジ７は、感光体ユニットとしてのドラムユニット８と前記現像ユニット４とを有する。
【手続補正６】
【補正対象書類名】明細書
【補正対象項目名】００７４
【補正方法】変更
【補正の内容】
【００７４】
一方、前記現像ユニット４を前記装置本体９９に位置決めする位置決め部（他端支持部）としての前記現像ユニット位置決め軸８１が、前記装置本体９９に設けられている。そして、前記カートリッジ７を前記装置本体９９へ装着した状態で、前記嵌合穴４７ａの内面は前記位置決め軸８１の外周面と回動可能に嵌合している。尚、前記位置決め軸８１は円柱形状である。また、前述したように前記位置決め軸８１は金属製である。
【手続補正７】
【補正対象書類名】明細書
【補正対象項目名】００８０
【補正方法】変更
【補正の内容】
【００８０】
そして、前述したように、前記装着方向において前記現像ユニット４の後方（非駆動側（現像ローラ５の長手方向の一端側））には、一端被支持部としての穴４ｂ１が設けられている。本実施例では、前記穴４ｂ１は第二現像軸受部４ｂを貫通している。
【手続補正８】
【補正対象書類名】明細書
【補正対象項目名】００８１
【補正方法】変更
【補正の内容】
【００８１】
一方、前記装着方向において前記ドラムユニット８の後方（非駆動側）には、前記一端被支持部を支持する一端支持部としての穴９ｂ１、９ｂ２が設けられている。即ち、前記装着方向において、前記穴９ｂ１、９ｂ２は前記枠体９の後方に設けられている。
【手続補正９】
【補正対象書類名】明細書
【補正対象項目名】００８３
【補正方法】変更
【補正の内容】
【００８３】
一方、図１０に示すように、他端支持部としての前記位置決め軸８１が、前記前方側板６７から前記装置本体９９の内側へ、前記装着方向と平行に突出している。そして、図１３に示すように、前記位置決め軸８１は、支持部８１ａと位置決め部８１ｂとを有する。ここで、前記支持部８１ａは、その外周面でもって第二本体カップリング８２を回転可能に支持している。また、前述したように、前記装着方向において前記現像ユニット４の前方（現像ローラ５の長手方向の他端側）には、前記他端支持部に支持される他端被支持部としての前記嵌合部材４７が設けられている。ここで、前記嵌合部材４７の軸線は、前記突起部４６ａの軸線と略同一軸線上になるように設けられている。また、前記位置決め部８１ｂは、前記カートリッジ７を前記装着部１０１に装着した状態で、前記嵌合部材４７の前記穴４７ａと嵌合している。これによって、前記現像ユニット４が前記交差方向に回動可能となるように、前記位置決め部８１ｂが前記嵌合部材４７を支持する。更に、前記装着方向において、前記嵌合部材４７は前記突起部４６よりも後方に設けられている。これにより、前記装置本体９９において、前記現像ユニット４がより高精度に位置決めされる。
【手続補正１０】
【補正対象書類名】明細書
【補正対象項目名】００８４
【補正方法】変更
【補正の内容】
【００８４】
また、前記装着方向において前記現像枠体２１の前方（駆動側）には、前記エンドカバー４６が設けられている。前記装着方向において前記エンドカバー４６は前記軸受部４ａの前方に設けられている。そして、前記エンドカバー４６は第二他端被支持部としての突起部４６ａを有している。ここで、前記突起部４６ａは円筒形状である。
【手続補正１１】
【補正対象書類名】明細書
【補正対象項目名】００８５
【補正方法】変更
【補正の内容】
【００８５】
一方、前記装着方向において前記ドラム枠体９の前方（駆動側）には、前記第二他端被支持部を支持する第二他端支持部としての穴９ａが設けられている。